(57)【特許請求の範囲】
【請求項１】
平板矩形状の規制部と、該規制部の一端辺より一定の角度を有して屈曲して延出する平板状の連結部と、前記規制部の他端辺より、前記連結部と所定の間隔を有した状態で、前記連結部と対向するように屈曲して延出する被覆部と、を少なくとも有して構成される物干竿止め部材であって、
前記連結部の自由端部には、腕木の一部を止め付ける固定部が形成されており、
該固定部は、第１爪部と第２爪部を有して構成されており、
前記第１爪部は、
前記連結部の自由端部より、前記被覆部が配設される方向へ向けて略垂直に立上がる立上がり側面と、該立上がり側面端部より前記規制部が配設される側と反対方向へ略垂直に屈曲する第１爪部側固定面とで形成された略Ｌ字形状の部分として構成されるとともに、
前記第２爪部は、
前記連結部の自由端部より、前記第１爪部側固定面と所定の間隔を有した状態で、前記第１爪部側固定面と対向するように延出する第２爪部側固定面と、前記第２爪部側固定面端部より前記第１爪部側固定面が配設される方向へ略垂直に屈曲する係止面とで形成された略Ｌ字形状の部分として構成されており、
前記規制部が前記腕木に形成された竿設置孔と対向する位置となるよう、前記固定部は、前記第１爪部側固定面と前記第２爪部側固定面とで、前記腕木の前記竿設置孔近傍の一端部を把持した状態で前記腕木の一部に固定されるとともに、前記被覆部の自由端部は前記腕木の前記竿設置孔近傍の他端側に当接しており、
前記固定部は、前記第１爪部側固定面と前記第２爪部側固定面との距離を相対的に変化させることが可能となるように構成されていることを特徴とする物干竿止め部材。
【請求項２】
竿を貫通させて支持する竿設置孔を備えた腕木と、請求項１に記載の物干竿止め部材を少なくとも一つ備えたことを特徴とする物干竿支持具。
【発明の詳細な説明】
【技術分野】
【０００１】
本発明は、ベランダ等の壁面・天井面等に設置され、物干竿を支持するための物干竿止め部材及びこれを備えた物干竿支持具に関するものであり、特に、物干竿がスライドして飛び出すことを有効に防止することができる物干竿止め部材及び物干材支持具に関するものである。
【背景技術】
【０００２】
従来より、ベランダ等に物干竿を設置する際には、この物干竿の両端部分を支持する一組の物干竿支持具が使用されることが多い。
これらは、ベランダ等の壁面・天井面等にその一端部が回動若しくは折りたたみ可能に取付けられている場合が多い。
このような物干竿支持具を設置する場合、設置に際して様々な条件が生じる場合がある。
例えば、特に集合住宅等のベランダにおいては、避難用はしごを有する避難ハッチがベランダ部分に設けられているものが多い。
このような場合、階下の住宅において、物干竿支持具を構成する腕木に設置された物干竿端部が、腕木の側面方向に必要以上に突き出し、上階の避難ハッチから下りてくるはしご（はしごが設置される領域）に干渉する恐れがある。
しかし、特に集合住宅のような手狭なベランダ部分においては、物干竿端部の突出方向を考慮して、干渉しないように、避難ハッチと腕木の位置を調整することは困難である。
このため、竿が移動してその端部が必要以上に突出することを防止するために、物干竿を固定するための工夫がなされている（例えば、特許文献１参照）。
【０００３】
特許文献１には、物干し竿支持具が開示されている。
この特許文献１では、腕木の裏側に保護部材が平行に配設されており、この保護部材により竿の移動を防止する。
つまり、竿は、竿端部がこの保護部材に当接する位置より外側に移動することが規制される。
【先行技術文献】
【特許文献】
【０００４】
【特許文献１】特開平０８−０００８９５号公報
【発明の概要】
【発明が解決しようとする課題】
【０００５】
特許文献１に係る技術によれば、竿の端部を係止するための部材を腕木メーカーにおいて溶接取付けする必要があり、コストが高くなるという問題が生じる。
更に、物干竿の設置孔に金属製のパイプ等を溶接してストッパとし、物干竿が必要以上に突出して避難ハッチに干渉しないようにする技術もあるが、このようなパイプ付腕木は別注品となるとともに、上記特許文献１に係る技術と同様に、竿の端部を係止するための部材を腕木メーカーにおいて溶接取付けする必要があり、コストが高くなるという問題を回避することができない。
【０００６】
本発明の目的は、上記各問題点を解決することにあり、腕木に形成された物干竿設置孔へ個別に取付けられ、各メーカーの腕木の規格に対応し汎用性の高い物干竿止め部材及び物干竿支持具を提供することにある。
【課題を解決するための手段】
【０００７】
上記課題は、請求項１に係る発明によれば、平板矩形状の規制部と、該規制部の一端辺より一定の角度を有して屈曲して延出する平板状の連結部と、前記規制部の他端辺より、前記連結部と所定の間隔を有した状態で、前記連結部と対向するように屈曲して延出する被覆部と、を少なくとも有して構成される物干竿止め部材であって、前記連結部の自由端部には、腕木の一部を止め付ける固定部が形成されており、該固定部は、第１爪部と第２爪部を有して構成されており、前記第１爪部は、前記連結部の自由端部より、前記被覆部が配設される方向へ向けて略垂直に立上がる立上がり側面と、該立上がり側面端部より前記規制部が配設される側と反対方向へ略垂直に屈曲する第１爪部側固定面とで形成された略Ｌ字形状の部分として構成されるとともに、前記第２爪部は、前記連結部の自由端部より、前記第１爪部側固定面と所定の間隔を有した状態で、前記第１爪部側固定面と対向するように延出する第２爪部側固定面と、前記第２爪部側固定面端部より前記第１爪部側固定面が配設される方向へ略垂直に屈曲する係止面とで形成された略Ｌ字形状の部分として構成されており、前記規制部が前記腕木に形成された竿設置孔と対向する位置となるよう、前記固定部は、前記第１爪部側固定面と前記第２爪部側固定面とで、前記腕木の前記竿設置孔近傍の一端部を把持した状態で前記腕木の一部に固定されるとともに、前記被覆部の自由端部は前記腕木の前記竿設置孔近傍の他端側に当接しており、前記固定部は、前記第１爪部側固定面と前記第２爪部側固定面との距離を相対的に変化させることが可能となるように構成されていることにより解決される。
【０００８】
このように、本発明に係る物干竿止め部材は、腕木の一部に取付けられる連結部と、この連結部から一定の角度を有して屈曲する規制部を備え、この規制部は、連結部が腕木に取付けられた状態で腕木に形成された竿設置孔と対向するように配設される。
よって、この規制部により、竿設置孔を貫通した竿端部が、この規制部の位置を超えて突出することを防止することができる。
このため、特に集合住宅のような手狭なベランダ部分において、竿が移動してその端部が突出し、避難ハッチの位置と干渉することを有効に防止することができる。
また、腕木に後付けすることが可能であり、腕木のサイズ等の自由度も高いため、様々な腕木メーカーの規格に対応でき、汎用性が高い。
このため、物干竿止め部材を腕木メーカーにおいて溶接取付けする必要もない。
よって、コストが低く抑えることができる。
【０００９】
また、このとき、前記物干竿止め部材は、前記規制部より、前記連結部と対向するように屈曲して延出する被覆部を更に備え、前記固定部は、前記竿設置孔の一端部に取付けられるとともに、前記被覆部の端部は前記竿設置孔の他端側近傍に当接し、前記規制部は、前記腕木に形成された竿設置孔と対向するように配設されるよう構成されていると好適である。
【００１０】
このように、固定部は竿設置孔の一端部に取付けられるとともに、被覆部の端部は竿設置孔の他端側近傍に当接し、規制部が腕木に形成された竿設置孔と対向するように配設されることとなる。
例えば、固定部を竿設置孔の上部（腕木を使用状態とした際の上部）に取付けた場合には、被覆部端部は、竿設置孔の下部（腕木を使用状態とした際の下部）に当接することとなる（逆も同様）。
よって、規制部は固定部と被覆部の長手方向の距離分間隔を空けて、竿設置孔に対向することとなり、竿の突出を有効に規制する。
【００１１】
具体的には、前記固定部は、第１爪部と第２爪部を有して構成されており、前記第１爪部は、前記連結部の端部より、前記被覆部が配設される方向へ向けて略垂直に立上がる立上がり側面と、該立上がり側面端部より前記規制部が配設される側と反対方向へ略垂直に屈曲する第１爪部側固定面とで形成された略Ｌ字形状の部分として構成されるとともに、
前記第２爪部は、前記連結部の端部より前記第１爪部側固定面と対向するように延出する第２爪部側固定面と、前記第２爪部側固定面端部より前記第１爪部側固定面が配設される方向へ略垂直に屈曲する係止面とで形成された略Ｌ字形状の部分として構成されており、前記第１爪部側固定面と前記第２爪部側固定面とで、前記腕木の一部を把持した状態で前記腕木の一部に固定されるよう構成されている。
【００１２】
このように構成されているため、第１爪部及び第２爪部を構成する第１爪部側固定面及び第２爪部側固定面とで腕木の一部を把持して簡易に取付けることができる。
また、簡易な構成であるため、作成及び取り外しも容易であり、簡易に設置することができる。
【００１３】
このとき、前記固定部は、前記第１爪部側固定面と前記第２爪部側固定面との距離を相対的に変化させることが可能となるように構成されていると好適である。
【００１４】
このように構成されていると、腕木を把持する作業を簡易に行うことができる。
また、これら第１爪部及び第２爪部は、腕木を把持させた後、ボルト等で固定するとよい。
よって、簡易に物干竿止め部材を腕木へ簡易に設置することができ、作業性が向上する。
なお、より具体的には、第１爪部及び第２爪部の少なくとも一方は、第１爪部側固定面と第２爪部側固定面との距離を相対的に変化させることが可能となるように、他方に対して可動となるよう構成することができる。
【００１５】
また、上記の構成に付加し、物干竿止め部材は、規制部より、連結部と対向するように屈曲して延出する被覆部を更に備え、連結部及び被覆部の少なくとも一方には、孔が形成されるように構成することもできる。
【００１６】
このように構成されていると、この孔は水抜き孔として機能し、侵入した雨水等を有効に排出することができる。
また、軽量化にも寄与するとともに、デザイン上のアクセントともなり、意匠性も同時に向上させることができる。
【００１７】
また、本発明に係る物干竿支持具は、竿を貫通させて支持する竿設置孔を備えた腕木と、前記物干竿止め部材を少なくとも一つ備える。
具体的には、腕木に形成された竿設置孔に対して各々一個の物干竿止め部材を配設することができる。
このように構成されているために、必要のある部分のみ物干竿止め部材を配設することができるとともに、腕木とは別部材であるため、汎用性もまた向上する。
【発明の効果】
【００１８】
本発明によれば、規制部により、竿設置孔を貫通した竿端部が、この規制部の位置を超えて突出することを防止することができる。
このため、特に集合住宅のような手狭なベランダ部分において、竿が移動してその端部が必要以上に突出し、避難ハッチの位置と干渉することを有効に防止することができる。
更に、腕木に後付けすることが可能であり、腕木のサイズ等の自由度も高いため、腕木メーカーの様々な規格に対応することができ、物干竿止め部材を腕木メーカーにおいて溶接取付けする必要がない。
よって、コストを低く抑えることができる。
【００１９】
また、この固定部は、第１爪部と第２爪部とで構成されており、これら第１爪部及び第２爪部を構成する第１爪部側固定面及び第２爪部側固定面とで腕木の一部を把持して簡易に取付けることができる構成である。
このように、簡易な構成であるため、作成及び取り外しも容易であり、簡易に設置することができる。
なお、更に好適には、第１爪部側固定面と第２爪部側固定面との距離を相対的に変化させることが可能となるように構成されており、腕木を把持する作業を簡易に行うことができる。
【００２０】
更に、連結部及び被覆部の少なくとも一方には、孔が形成されている。
このように構成されているため、この孔は水抜き孔として機能し、侵入した雨水等を有効に排出することができる。
また、軽量化にも寄与するとともに、デザイン上のアクセントともなり、意匠性も同時に向上させることができる。
【００２１】
このように、本発明によれば、腕木に形成された物干竿設置孔へ個別に取付けられ、各メーカーの腕木の規格に対応し汎用性の高い物干竿止め部材及び物干竿支持具を提供することができる。
【図面の簡単な説明】
【００２２】
【図１】本発明の一実施形態に係る干竿支持具を示す斜視図である。
【図２】本発明の一実施形態に係る物干竿止め部材を示す斜視図である。
【図３】本発明の一実施形態に係るは物干竿止め部材を示す４面図である。
【図４】本発明の一実施形態に係る第１の使用状態を示す平面図である。
【図５】本発明の一実施形態に係る第１の使用状態を示す側面図である。
【図６】本発明の一実施形態に係る第２の使用状態を示す平面図である。
【図７】本発明の一実施形態に係る第２の使用状態を示す側面図である。
【発明を実施するための形態】
【００２３】
以下、本発明の一実施形態を図面に基づいて説明する。
なお、以下に説明する構成は本発明を限定するものでなく、本発明の趣旨の範囲内で種々改変することができるものである。
本実施形態は、腕木に形成された物干竿設置孔へ個別に取付けられ、各メーカーの腕木の規格に対応し汎用性の高い物干竿止め部材及び物干竿支持具に関するものである。
【００２４】
図１乃至図７は、本発明に係る一実施形態を示すものであり、図１は物干竿支持具を示す斜視図、図２は物干竿止め部材を示す斜視図、図３は物干竿止め部材を示す４面図、図４は第１の使用状態を示す平面図、図５は第１の使用状態を示す側面図、図６は第２の使用状態を示す平面図、図７は第２の使用状態を示す側面図である。
【００２５】
まず、図１により、本実施形態に係る物干竿支持具Ｓについて説明する。
本実施形態に係る物干竿支持具Ｓは、２個一組で使用されるものであり、この２個の物干竿支持具Ｓは相対向するように平行に配置され、その物干竿支持具Ｓ，Ｓにより、物干竿Ｈの両端部分が各々支持されることにより、物干竿Ｈが物干竿支持具Ｓ，Ｓ間に支持される。
【００２６】
本実施形態に係る物干竿支持具Ｓは、腕木１、複数個の物干竿止め部材２、を有して構成されている。
この物干竿支持具Ｓは、棒状のポールＰに移動可能に支持されている。
ポールＰには、長手方向にレールＰ１が形成されており、このレールＰ１を腕木１が移動することにより、腕木１が展開及び格納される。
つまり、本実施形態においては、図１は展開状態であるが、格納時には、腕木１が上下方向に起立する位置まで、その自由端部がＸ方向に跳ね上げられて、その状態で腕木１の一側辺側がレールＰ１に沿って下方向に移動する。
【００２７】
なお、本実施形態においては、ポールＰに物干竿支持具Ｓを配設したが、これに限られるものではなく、例えば、壁付け、腰壁付け等、どのような形態にも対応することができるものである。
【００２８】
本実施形態に係る腕木１は、平板状の部材であり、複数の竿設置孔１１が形成されている。
本実施形態においては、４個形成されているが、個数及び形状等はこれに限られることはなく、どのように形成されていてもよい。
なお、説明の便宜上、腕木１が展開された際、腕木１の上方側長辺を「上側辺１ａ」、下方側長辺を「下側辺１ｂ」と記す。
【００２９】
本実施形態に係る物干竿止め部材２は、断面略コ字形状の部材であり、竿設置孔１１の一方側を被覆するように配設される。
図２及び図３により、物干竿止め部材２について説明する。
本実施形態に係る物干竿止め部材２は、略矩形平板状の被覆部２１、被覆部２１の一端辺より略垂直に屈曲する規制部２２、規制部２２の一端辺（被覆部２１と連続する辺と対向する辺）から略垂直に屈曲する（規制部２２に対して被覆部２１と同方向に屈曲する）連結部２３を有して構成された断面略コ字形状の部材である。
【００３０】
被覆部２１には、第１水抜き孔２１aが形成されている。
この第１水抜き孔２１ａは、長手方向に長軸を有する略楕円形状に形成されており、水抜き機能を有するとともに、物干竿止め部材２の意匠性をもまた向上させる。
【００３１】
また、連結部２３には、第２水抜き孔２３ａが形成されている。
この第２水抜き孔２３ａは、長手方向に長軸を有する略楕円形状に形成されており、水抜き機能を有するとともに、物干竿止め部材２の意匠性をもまた向上させる。
【００３２】
つまり、物干竿止め部材２を、被覆部２１及び連結部２３を天地面（どちらが、天面でも地面でもよい）として配設した場合に、雨等の影響で物干竿止め部材２内部に浸入した水分をこれら第１水抜き孔２１ａ若しくは第２水抜き孔２３ａのいずれかより排出することができるとともに、これらの第１水抜き孔２１ａ若しくは第２水抜き孔２３ａは、デザイン上のアクセントともなる。
【００３３】
また、連結部２３の自由端辺側には、固定部２４が形成されている。
本実施形態に係る固定部２４は、第１爪部２４ａ、第２爪部２４ｂを有して構成されている。
【００３４】
第１爪部２４ａは、連結部２３の自由端辺から略垂直に立ち上がる立上り側面１２４と、この立上り側面１２４の端辺より、立上り側面１２４に対して略垂直に延出する第１爪部側固定面１２５を有して構成された鉤状の部分である。
【００３５】
また、第２爪部２４ｂは、連結部２３に対して着脱可能に構成された略Ｌ字形状の部材であり、第２爪部側固定面１２６と、この第２爪部側固定面１２６の端辺より、第２爪部側固定面１２６に対して略垂直に立上がる係止面１２７を有して構成される。
【００３６】
この第２爪部２４ｂは、第２爪部側固定面１２６が、連結部２３の自由端辺側から延出する（立上り側面１２４が立上がる側と反対側の面から延出する）とともに、係止面１２７が、第２爪部側固定面１２６の端辺より第１爪部側固定面１２５方向に向かい立上がるように、連結部２３に取付けられる。
【００３７】
更に、連結部２３の自由端辺側には第１ボルト孔Ｂ１が形成されるとともに、第２爪部２４ｂを構成する第２爪部側固定面１２６には第２ボルト孔Ｂ２が形成されている。
第２爪部２４ｂは、第２ボルト孔Ｂ２が第１ボルト孔Ｂ１に整合するように、連結部２３に積層され、この状態でボルトＢにより螺設される。
物干竿止め部材２は、この第１爪部２４ａ及び第２爪部２４ｂの内隅部分に腕木１を形成する上側辺１ａ若しくは下側辺１ｂを挟み込んだ状態で固定することにより、腕木１に取付けられる。
【００３８】
なお、本実施形態においては、第２爪部２４ｂを別部材として構成したが、構成はこれに限られるものではなく、第１爪部２４ａを別部材として構成してもよいし、第１爪部側固定面１２５と第２爪部側固定面１２６との距離を調整することができる構成であれば、同一部材として構成してもよい。
【００３９】
次いで、図４及び図５により、物干竿止め部材２の第１の使用状態を説明する。
第１の使用状態とは、物干竿止め部材２の開口部分の開口距離（被覆部２１と連結部２３との距離）が、腕木１の展開時上下方向の幅よりも小さく構成されている場合の使用状態を指す。
【００４０】
上述の通り、本実施形態に係る物干竿止め部材２は、腕木１に形成された竿設置孔１１の一方側を被覆するように配設される。
つまり、物干竿止め部材２は、一組の腕木１，１を対向させたとき、外側となる側の面に取付けられ、竿設置孔１１の外側を被覆する。
【００４１】
よって、物干竿Ｈの両端分を一組の腕木１，１に形成された竿設置孔１１，１１に支持させて、一組の腕木１，１間に配設した場合、物干竿Ｈの両端部は物干竿止め部材２，２を構成する規制部２２，２２の内側面に各々近接対向することとなる。
換言すれば、物干竿Ｈの両端部が物干竿止め部材２，２を構成する規制部２２，２２に近接対向することにより、物干竿Ｈは移動が阻止され、その位置以上に突出することがなくなる。
【００４２】
物干竿止め部材２は、固定部２４を構成する第１爪部２４ａ及び第２爪部２４ｂにより腕木１を構成する下端辺１ｂを挟持した状態で固定される。
詳述すれば、物干竿止め部材２は、第１爪部２４ａを構成する立上り側面１２４及び第１爪部側固定面１２５で形成される内隅部と、第２爪部２４ｂを構成する第２爪部側固定面１２６及び係止面１２７とで形成される内隅部に、腕木１を構成する下端辺１ｂを挟み込んだ状態で、この下端辺１ｂに固定される。
この固定は、ボルトＢを締結することにより行う。
【００４３】
このとき、被覆部２１の自由端辺側（以下、「被覆部自由端辺２１ｂ」と記す）は、腕木１を構成する竿設置孔１１の上部側（つまり上端辺１ａ）に当接した状態となる。
このようにして、竿設置孔１１は、上部側を被覆部２１に覆われ、対向面側を規制部２２に覆われ、下部側を連結部２３に覆われることとなり、対向面側に配設される規制部２２により竿設置孔１１を貫通した物干竿Ｈの端部の移動（突出）を規制する。
【００４４】
次いで、図６及び図７により、物干竿止め部材２の第２の使用状態を説明する。
第２の使用状態とは、物干竿止め部材２の開口部分の開口距離（被覆部２１と連結部２３との距離）が、腕木１の展開時上下方向の幅よりも大きく構成されている場合の使用状態を指す。
【００４５】
上述の通り、本実施形態に係る物干竿止め部材２は、腕木１に形成された竿設置孔１１の一方側を被覆するように配設される。
つまり、物干竿止め部材２は、一組の腕木１，１を対向させたとき、外側となる側の面に取付けられ、竿設置孔１１の外側を被覆する。
【００４６】
よって、物干竿Ｈの両端分を一組の腕木１，１に形成された竿設置孔１１，１１に支持させて、一組の腕木１，１間に配設した場合、物干竿Ｈの両端部は物干竿止め部材２，２を構成する規制部２２，２２の内側面に各々近接対向することとなる。
換言すれば、物干竿Ｈの両端部が物干竿止め部材２，２を構成する規制部２２，２２に近接対向することにより、物干竿Ｈは移動が阻止され、その位置以上に突出することがなくなる。
【００４７】
物干竿止め部材２は、固定部２４を構成する第１爪部２４ａ及び第２爪部２４ｂにより腕木１を構成する上端辺１ａを挟持した状態で固定される。
詳述すれば、物干竿止め部材２は、第１爪部２４ａを構成する立上り側面１２４及び第１爪部側固定面１２５で形成される内隅部と、第２爪部２４ｂを構成する第２爪部側固定面１２６及び係止面１２７とで形成される内隅部に、腕木１を構成する上端辺１ａを挟み込んだ状態で、この上端辺１ａに固定される。
この固定は、ボルトＢを締結することにより行う。
【００４８】
このとき、被覆部２１を構成する被覆部自由端辺２１ｂは、腕木１を構成する竿設置孔１１の下部側（つまり下端辺１ｂの下端辺付近）に当接した状態となる。
このようにして、竿設置孔１１は、下部側を被覆部２１に覆われ、対向面側を規制部２２に覆われ、上部側を連結部２３に覆われることとなり、対向面側に配設される規制部２２により竿設置孔１１を貫通した物干竿Ｈの端部の移動（突出）を規制する。
【００４９】
以上のように、本実施形態に係る物干竿止め部材２は、腕木１に形成された物干竿設置孔へ個別に取付けられる。
このため、現場で簡易に着脱できるとともに、各メーカーの腕木１の規格に対応することができる。
つまり、上述の通り、本実施形態に係る物干竿止め部材２は、腕木１のサイズに関わらず取付けることができるとともに、必要な部分のみを選択して取付けることもできる。
このように、本実施形態によれば、汎用性の高い物干竿止め部材２及び物干竿支持具Ｓを提供することができる。
なお、本実施形態においては、物干竿止め部材２は、腕木１の上下方向に対して調整可能となっているが、左右方向（上下方向に直交する方向）に調整するように構成することもできるし、双方に調整可能に構成することもできる。
【符号の説明】
【００５０】
１  腕木
１ａ  上側辺
１ｂ  下側辺
１１  竿設置孔
２  物干竿止め部材
２１  被覆部
２１ａ  第１水抜き孔
２１ｂ  被覆部自由端辺
２２  規制部
２３  連結部
２３ａ  第２水抜き孔
２４  固定部
２４ａ  第１爪部
１２４  立上り側面
１２５  第１爪部側固定面
２４ｂ  第２爪部
１２６  第２爪部側固定面
１２７  係止面
Ｂ  ボルト
Ｂ１  第１ボルト孔
Ｂ２  第２ボルト孔
Ｈ  物干竿
Ｐ  ポール
Ｐ１レール
Ｓ  物干竿支持具
【図１】
0005507956.tif 000002
【図２】
0005507956.tif 000003
【図３】
0005507956.tif 000004
【図４】
0005507956.tif 000005
【図５】
0005507956.tif 000006
【図６】
0005507956.tif 000007
【図７】
0005507956.tif 000008